(57)【特許請求の範囲】
【請求項１】
内容物を収容する容器本体と、
前記容器本体の口部に挿嵌され前記内容物を吸い上げる吸上げ芯を保持する中栓と、
前記容器本体へ挿嵌されてなる外カバーと、
前記外カバーへ可動可能に挿嵌されてなる上カバーと、
前記上カバーに収納されてなる揮散部と、からなる容器であって、
前記中栓の天面は、フィルムで密封され、
前記フィルムから延在してなる引っ張り片が反対方向へ折り返し部で折り返されて前記容器の外側に引き出されており、
前記揮散部には凸部が形成されており、かつ当該凸部は、前記フィルムの上側に位置するように前記揮散部に設けられており、
前記容器の使用に際して、前記引っ張り片を前記容器から外側へ引っ張り操作がされた時に、前記引っ張り片に繋がっている密封部が引き剥がされて、前記吸上げ芯と前記揮散部とが、当該揮散部に設けた凸部において接触するように構成されたこと
を特徴とする容器。
【請求項２】
上記中栓の天面とフィルムとの密封は、イージーピール性のヒートシールであることを特徴とする請求項１記載の容器。
【請求項３】
上記容器本体と中栓との挿嵌が、螺合、ホットメルト及び／又はヒートシールであることを特徴とする請求項１〜２のいずれかに記載の容器。
【発明の詳細な説明】
【技術分野】
【０００１】
本発明は、容器に関し、さらに詳しくは、容器内に収容した内容物を吸い上げて外気中に揮散させるための芳香剤、消臭剤や防虫剤用の容器に関するものである。
【０００２】
本明細書において、配合を示す「比」、「部」、「％」などは特に断わらない限り質量基準であり、「／」印は一体的に積層されていることを示す。また、「ＰＰ」は「ポリプロピレン」、「ＬＤＰＥ」は「低密度ポリエチレン」、「ＬＬＤＰＥ」は「鎖状低密度ポリエチレン」の略語、機能的表現、通称、又は業界用語である。
【背景技術】
【０００３】
（背景技術）芳香剤、消臭剤や防虫剤を吸上げ揮散させる容器、例えば、芳香剤用液体芳香剤の容器としては、容器本体内へ貯留し収容された液体芳香剤などの内容物中に、吸上げ芯の下部を浸漬させるとともに、該吸上げ芯の上部を広い表面積を有する揮散部に接触させるようにし、毛細管現象を利用して吸上げ芯により吸い上げた内容物を揮散部の表面から外気中に揮散させるようにした吸上げ−揮散容器が知られている。通常、揮散部をより大きな表面積のものとするため、該揮散部を支持台に取り付けるとともに、この支持台を容器本体の口部に設けられたキャップに被せるようにして該容器本体に支持するようにしたものも知られている。このように揮散部を支持台に取り付けた構造のものでは、キャップに支持台を支持する機能を持たせるために、吸上げ芯の上端部を覆うよう中央が凸状とされた中蓋を設けるとともに、この中蓋の凸状部が挿嵌される穴をキャップの天壁部の中央に設けるよう構成している。しかしながら、上記のような中蓋とキャップとの組み合わせからなるシール構造を有する液体芳香剤用容器の場合、中蓋はキャップと別体であって、中蓋の凸状部をキャップの天壁部に設けた穴に挿嵌させるようにしているために、密封性が完全ではなく、当該液体芳香剤用容器の流通・販売時に、中蓋とキャップの穴との間等から中味の液体芳香剤が放散するという問題があった。また、上記従来の液体芳香剤用容器では、使用時に、一旦キャップおよび中蓋を外した後再度キャップを取り付け、更に支持台を取り付けるという操作が必要であり、揮散を開始させるまでの操作が繁雑であるという問題もあった。
芳香剤、消臭剤や防虫剤を吸上げ揮散させる容器は、低コストで製造でき、流通や販売時までの密封性とともに、使用時における揮散の開始操作をより容易に行え、しかも老人子供でも容易に行えることが求められている。
【先行技術文献】
【特許文献】
【０００４】
【特許文献１】特開平５−２８５２０５号公報
【特許文献２】特開平５−２８５２０４号公報
【発明の概要】
【発明が解決しようとする課題】
【０００５】
（従来技術）従来、本出願人も、液体芳香剤用容器としては、液体芳香剤を収容する容器本体と、前記容器本体の口部に挿嵌され該容器本体内の液体芳香剤を吸い上げる芯体を保持する中栓と、前記中栓の上から前記容器本体の口部に被せるキャップと、前記キャップに支持され前記液体芳香剤の香りを揮散させる揮散体を支持する揮散体支持台からなる液体芳香剤用容器であって、前記キャップの天壁部を、円環状の周辺部分と該周辺部分の内側に円環状の薄肉部分を介して連設された突出部分とで構成した容器が知られている（例えば、特許文献１参照。）。しかしながら、キャップ天壁部の突出部分を指でつまんでの捩り操作で薄肉部分を破断されて切り離され開口させ、揮散体支持台を上から被せて押し込むと、芯体と揮散体とが接触して放香を開始する。従来よりは容易になったが、薄肉部分を破断する捩り操作に腕力が要り、揮散体を押し込む操作があり、未だに揮散の開始操作は煩雑であるという欠点がある。
また、液体芳香剤用容器としては、液体芳香剤を収容する容器本体と、前記容器本体の口部に挿嵌され該容器本体内の液体芳香剤を吸い上げる芯体を保持する中栓と、天面に穴を有するとともに該穴を塞ぐシール部材を有し前記中栓の上から前記容器本体の口部に被せるキャップと、前記キャップに支持され、前記シール部材を突き破る突破部材を有するとともに前記液体芳香剤の香りを揮散させる揮散体を支持する揮散体支持台からなり、前記揮散体支持台は、当該液体芳香剤用容器の使用前には前記突破部材が前記シール部材との間に間隙を有する位置を保持し、当該液体芳香剤用容器の使用に際して前記揮散体支持台が前記容器本体側へ移動操作された時には前記突破部材が前記シール部材を突き破って前記芯体と前記揮散体とが接触するよう構成した容器が知られている（例えば、特許文献２参照。）。しかしながら、揮散体支持台は、突破部材がシール部材との間に間隙を有する位置を保持するようキャップに支持されている。この状態で、使用に際して揮散体支持台を容器本体側へ移動操作すると、突破部材がシール部材を突き破ることにより、芯体と揮散体とが接触してワンタッチで放香を開始する。開始操作はワンタッチでできるようになったが、老人子供では突破部材がシール部材を突き破る操作中に腕力が要り、容器本体が倒したりする危険性があり、また、揮散体支持台に支持される突破部材が必要で、高コストであるという欠点がある。
【０００６】
そこで、本発明は上記のような問題点を解消するために、本発明者らは鋭意研究を進め、本発明の完成に至ったものである。その目的は、低コストで製造でき、流通や販売時までの密封性とともに、使用時における揮散の開始操作をより容易に行え、しかも老人子供でも容易に行える芳香剤、消臭剤や防虫剤を吸上げ揮散させる容器を提供することである。
【課題を解決するための手段】
【０００７】
上記の課題を解決するために、本発明の請求項１の発明に係わる容器は、内容物を収容する容器本体と、前記器本体の口部に挿嵌され前記内容物を吸い上げる吸上げ芯を保持する中栓と、前記容器本体へ挿嵌されてなる外カバーと、前記外カバーへ可動可能に挿嵌されてなる上カバーと、前記上カバーに収納されてなる揮散部と、からなる容器において、前記中栓の天面はフィルムで密封され、前記フィルムから延在してなる引っ張り片が反対方向へ折り返し部で折り返されて前記容器の外側に引き出されており、前記容器の使用に際して、前記引っ張り片を前記容器から外側へ引っ張り操作がされた時に、前記引っ張り片に繋がっている密封部が引き剥がされて、前記吸上げ芯と前記揮散部とが接触するよう構成されるように、したものである。
請求項２の発明に係わる容器は、上記中栓の天面とフィルムとの密封はイージーピール性のヒートシールであるように、したものである。
請求項３の発明に係わる容器は、上記揮散部の吸上げ芯と接触する部分が凸部であるように、したものである。
請求項４の発明に係わる容器は、上記容器本体と中栓との挿嵌が螺合、ホットメルト及び／又はヒートシールであるように、したものである。
【発明の効果】
【０００８】
請求項１の本発明によれば、低コストで製造でき、流通や販売時までの密封性とともに、使用時における揮散の開始操作をより容易に行える芳香剤、消臭剤や防虫剤を吸上げ揮散させる効果を奏する。
請求項２の本発明によれば、請求項１の効果に加えて、内流通や販売時までの密封性により優れ、使用時の開始操作は老人子供でも容易に行える効果を奏する。
請求項３の本発明によれば、請求項１〜２の効果に加えて、内容物の揮散がより安定して行える効果を奏する。
請求項４の本発明によれば、請求項１〜３の効果に加えて、使用時の開始操作がより安定して行える効果を奏する。
【図面の簡単な説明】
【０００９】
【図１】本願発明の１実施例を示す容器の断面図である。
【図２】図１の要部を説明する中栓の拡大断面図である。
【図３】従来の容器の断面図である。
【発明を実施するための形態】
【００１０】
以下、本発明の実施形態について、図面を参照しながら、詳細に説明する。
【００１１】
（容器）本願発明の容器１１は、内容物を吸上げて外気中へ揮散させる容器であって、図１に示すように、内容物１０を収容する容器本体１と、前記器本体１の口部に挿嵌され前記内容物１０を吸い上げる吸上げ芯３を保持する中栓２と、前記容器本体１へ挿嵌されてなる外カバー５と、前記外カバー５へ可動可能に挿嵌されてなる上カバー７と、前記上カバー７と中栓２及び外カバー５との間へ収納されてなる揮散部６と、からなる容器１１において、前記中栓２の天面はフィルム４で密封され、前記フィルム４から延在してなる引っ張り片４ｂが反対方向へ折り返し部４ａで折り返されて前記容器１１の外側に引き出されており、前記容器１１の使用に際して、前記引っ張り片４ｂを前記容器１１から外側へ引っ張り操作がされた時に、前記引っ張り片４ｂに繋がっている密封部が引き剥がされて、前記吸上げ芯３と前記揮散部６とが接触するよう構成する。図２に示すように、中栓２の天面はフィルム４で密封され、前記フィルム４から連続して延在してなる引っ張り片４ｂが反対方向へ折り返し部４ａで折り返されて前記容器１１の外側に引き出されている。なお、挿嵌とは２つの部材の少なくとも１部が接触するように嵌め込まれている様子、延在とは材料が連続状態で延長されている様子である。
【００１２】
また、上カバー７はなくてもよく、この場合の揮散部６は外カバー５から腕状の支持物を設けて、保持すればよい。
【００１３】
（開始操作）容器１１の使用に際して揮散の開始操作は、引っ張り片４ｂを容器１１から外側へ引っ張り操作をすると、引っ張り片４ｂに繋がっている密封部が引き剥がされて、吸上げ芯３が露出して揮散部６とへ接触する。すると、内容物１０は吸上げ芯３へ毛細管現象で吸い上げられて接触している揮散部６へと浸透し、外気中へ揮散してゆくので、ワンタッチでより容易に開始操作が行える。
【００１４】
（効果）従来、内容物を吸上げ揮散させる方式、例えば、芳香剤容器としては、内容物の入った容器本体、内容物を揮散部へ導く吸上げ芯、本体と揮散部間に介在する中栓、使用時に取り除くキャップ、外カバー、揮散部、揮散量を調整する上カバー、とからなる構造が一般的である。この容器を消費者が使用するには、（１）本体より外カバーを取りはずし、（２）本体から揮散防止用のキャップを取り外し（使用時にはキャップは不要）、（３）本体に外カバーを再び装着し（吸上げ芯の先端が揮散部に当接し、内容物に揮散が開始する）、（４）上カバーを可動させて揮散量を調整する、という煩雑な開始操作が必要である。しかしながら、本願発明によれば、（１）キャップの代わりにフィルム４で密封した中栓２を用い、フィルム４から連続して延在してなる引っ張り片４ｂを反対方向へ折り返し部４ａで折り返されて容器１１の外側に引き出しておく。このために、引っ張り片４ｂを容器１１から外側へ引っ張り操作をするだけで、該引っ張り片４ｂに繋がっている密封部を引き剥がされて、吸上げ芯３が露出して揮散部６へ接触し、内容物１０が吸上げ芯３を経由して揮散部６へ、該揮散部６から外気へと揮散させることができる。
【００１５】
煩雑な開始操作を簡略化するために、本出願人は特許文献１〜２を提案している。しかしながら、特許文献１でも従来よりは容易になったが、薄肉部分を破断する捩り操作に腕力が要り、揮散体を押し込む操作があり、未だに揮散の開始操作は煩雑である。特許文献２でも開始操作はワンタッチでできるようになったが、老人子供では突破部材がシール部材を突き破る操作中に腕力が要り、容器本体が倒したりする危険性があり、また、揮散体支持台に支持される突破部材が必要で、高コストである。
【００１６】
即ち、本願発明によれば、使用時における揮散の開始操作はワンタッチでより容易に行え、しかも老人子供でも容易に行える。また、中栓２の天面はフィルム４で密封され、内容物１０は密封性されているので、流通や販売を含めて使用時まで、揮散しやすい内容物でも十分に保護されている。例え、転倒したとしても容器の内部に収容されている芳香剤等の内容物の漏洩は確実に阻止することができるので流通段階においては安心して搬送することができるさらに、従来では必須であったキャップや突破部材が不要であり、低コストで製造できる効果もある。
【００１７】
（容器本体）内容物１０を収容する容器本体１の材料は特に限定されず、例えばポリプロピレン（ＰＰ）、ポリエチレン（ＰＥ）、ポリ塩化ビニール（ＰＶＣ）又はポリエチレンテレフタレート（ＰＥＴ）などの樹脂を用いてブロー成形法、延伸ブロー成形法や射出成形法などで一体成型し、口部を筒状に形成すればよい。単層でも複数層でもよく、内容物に応じて、酸素や香りのバリアー性を付与してもよい。
【００１８】
（内容物）内容物１０としては吸上げて揮散させるものであれば、特に限定されるものではないが、芳香剤、消臭剤や防虫剤などが好適である。また内容物としては内容物の原液でも、溶媒への希釈液でもよく、複数種の混合でもよい。
【００１９】
（中栓）前記器本体１の筒状の口部には、内容物１０を吸い上げる吸上げ芯３を保持する中栓２が挿嵌される。中栓２としては、ポリプロピレン（ＰＰ）、ポリエチレン（ＰＥ）又は線状低密度ポリエチレン（ＬＬＤＰＥ）などの樹脂を用いて、所望の形状に射出成形法などで成型すればよい。また、中栓２の底壁に空気穴２ｂを設けてもよく、中栓２の容器本体１への嵌め込み時における内部の空気抜きの役目をするとともに、使用時に、容器本体１内の内容物の量が減少した場合の内外の圧力差を調整する役目もする。
【００２０】
（容器本体と中栓）中栓２は容器本体１へ強制的に嵌め込み押し込んで挿嵌する。挿嵌方法としては、螺合、ホットメルト及び／又はヒートシールであることが密封性の点で好ましい。螺合はネジ込みでオーリングやガスケットを介してもよい。ホットメルトは挿嵌時に溶融したホットメルト材料を垂らして挿嵌と同時に固体化して密封させる。ヒートシールは中栓２と容器本体１が重なる部分が相互にヒートシール性のある材料で構成すればよい。
【００２１】
（吸上げ芯）吸上げ芯３としては、内容物１０を毛細管現象で吸い上げて、使用時に接触す揮散部６へ内容物を浸透させることができればよく、細い繊維束やフェルトなど、好ましくはタバコ用フィルター材である。
【００２２】
（フィルム）図２に示すように、中栓２の天面２ａはフィルム４のヒートシール部４ａで密封され、該フィルム４から連続して延在してなる引っ張り片４ｂが設けられている。
【００２３】
（引っ張り片）引っ張り片４ｂ（掴み片ともいう）はフィルム４から延在しており、しかも、折り返し部４ｃで反対方向へ折り返されて容器１１の外側に引き出す。引っ張り片４ｂは上カバー７の可動調整部７ａを避けて容器１１の外側に引き出せばよい。また、引っ張り片４ｂは図１では作図の都合上外側に垂れた状態であるが、保管や流通中に誤って引かれて開封しないように、上カバー７及び／又は外カバー５へ粘着ラベルで留めたり、貼ったり、また、上カバー７及び／又は外カバー５へ覆い片を設けてもよい。
【００２４】
引っ張り片４ｂは平らでも、指で持ちやすいように穴をあけたり、掴み片を付けたりしてもよい。折り返し部４ａで反対方向へ折り返すが、折り返しは１８０度に限定されず、引っ張って剥れる角度であればよい。また、反対方向も正反対方向に限らず、９０〜２７０度の範囲でもよい。
【００２５】
（ヒートシール）中栓２の天面とフィルム４との密封方法は接着剤、粘着剤又は両面テープなどでもよいが、密封性の点でヒートシール法が好ましい。しかも、イージーピール性（イージーオープン性ともいう）のヒートシールが好ましく、中栓２の天面とフィルム４の天面と重なる面（ヒートシール面という）の材料を適宜選択すればよい。例えば、中栓２を低密度ポリエチレン（ＬＤＰＥ）を用いた場合には、フィルム４のヒートシール面にはＬＤＰＥとＰＰのブレンド材料、変性ＬＤＰＥなどを用いればよいが、これに限定されるものではない。イージーピール性は、界面剥離タイプや凝集破壊タイプなどがあるが、いずれでもよい。このようにすることで、開始操作した際に、引っ張り片４ｂを引っ張ると、引っ張り片４ｂに繋がっているヒートシール部が容易に引き剥がされる。
【００２６】
（ヒートシール形状）また、中栓２の天面２ａとヒートシール部４ａとのヒートシール面のヒートシール形状を最初に引き剥がされる部分を突起状としたり、また、その上でヒートシール平面上で、ピール開始となる箇所へカラス口形状を設けて開封しやすくしたり、狭幅化としたりしてもよい。剥離のきっかけとなって、更に容易に剥がすことができる。
【００２７】
（外カバー）外カバー５は容器本体１へ挿嵌されていればよいが、好ましくは、容器本体１と中栓２の両方に挿嵌されているのが、容器１１の使用に際して、引っ張り片４ｂを容器１１から外側へ引っ張り操作をする際に、安定して引っ張れ、剥がすことができる。外カバー５は最外側となるので、意匠性や外観のために、窓を開けたり、凹凸をつけたり、絵柄が印刷されたラベル状フィルムをシュリンクしたり、貼着したりしてもよい。
【００２８】
（上カバー）上カバー７は外カバー５へ可動可能に挿嵌されており、該上カバー７を外カバー５から上下動させることで、揮散量を調整することができる。また、上カバー７は揮散量を調整するために、複数パーツに分け、各パーツの間で上下、左右に可動できるように構成してもよい。また、上カバー７は最上側となるので、意匠性や外観のために、窓を開けたり、凹凸をつけたり、絵柄が印刷されたラベル状フィルムをシュリンクしたり、貼着したりしてもよい。可動可能とは、図１に示すように、上カバー７に可動調整部７ａを２又はそれ以上を設け、外カバー５へ可動可能に挿嵌し、上下動に応じて数段階で保持できるようにすればよい。図１では作図の都合上、上カバー７の可動調整部７ａが浮いているが、実際は例えば外カバー５の図示していない部分と上下に可動できるようになっている。
【００２９】
（揮散部）揮散部６は上カバー７のフィルム４側に収納されており、容器１１の使用に際しての開始操作で、引っ張り片４ｂを容器１１から外側へ引っ張り操作をすると、引っ張り片４ｂに繋がっている密封部が引き剥がされて、揮散部６が自重で露出した吸上げ芯３と接触する。揮散部６はフェルトなどの繊維状体で、出来るだけ表面積が大きくなるよう板状に形成されたものである。内容物やその所望の揮散量に合わせて、材料、繊維、厚さなどは適宜選択すればよい。
【００３０】
（凸部）また、揮散部６の吸上げ芯３と接触する部分が凸部であることが好ましい。凸部は吸上げ芯３と接触する中央部分に設け、別部材を貼着したり、埋め込んだり、型押しで盛り上げたり、してもよい。
【００３１】
（開始操作）容器１１の使用に際しての開始操作は、引っ張り片４ｂを容器１１から外側へ引っ張り操作をすると、引っ張り片４ｂに繋がっている密封部が引き剥がされて、吸上げ芯３が露出して揮散部６とへ接触する。すると、内容物１０は吸上げ芯３へ毛細管現象で吸い上げられて接触している揮散部６へと浸透し、外気中へ揮散してゆくので、ワンタッチでより容易に開始操作が行える。
【産業上の利用可能性】
【００３２】
（産業上の利用可能性）本発明の容器の主なる用途としては、容器内に収容した内容物を吸い上げて外気中に揮散させるための芳香剤、消臭剤や防虫剤用の容器に利用することができ、低コストで製造でき、流通や販売時までの密封性とともに、使用時における揮散の開始操作をより容易に行え、しかも老人子供でも容易に行えるものである。しかしながら、容器内に収容した内容物を吸い上げて外気中に揮散させる用途であれば、特に限定されるものではない。
【符号の説明】
【００３３】
１：容器本体
１ａ：挿嵌部
２：中栓
２ａ：天面（ヒートシール面）
２ｂ：穴
３：吸上げ芯
４：フィルム
４ａ：ヒートシール部
４ｂ：引っ張り片
４ｃ：折り返し部
５：外カバー
５ａ：挿嵌部
６：揮散部
６ａ：凸部
７：上カバー
７ａ：可動部
１０：内容物
２０：キャップ
【図１】
0005623720.tif 000002
【図２】
0005623720.tif 000003
【図３】
0005623720.tif 000004